(57)【特許請求の範囲】
【請求項１】
ガスタービン燃焼器に複数の燃焼供給系統を設け、単一種数燃料および異種類燃料のうち少なくとも一方を運転状況に合せて上記複数の燃料供給系統に供給するガスタービン燃焼器の燃料供給装置において、上記単一種類燃料および異種類燃料の少なくとも一方を使用する上記複数の燃料供給系統のうち、上記ガスタービン燃焼器の運転中に使用していない燃料供給系統に、燃料ドレンを処理する手段を設けたことを特徴とするガスタービン燃焼器の燃料供給装置。
【請求項２】
燃料ドレンの処理手段は、ガスタービン燃焼器の運転中に使用していない燃料供給系統およびこの燃料供給系統に設けたマニホールドに接続させたドレンポットと、このドレンポットに滞留する燃料ドレンを系外に流出させる制御弁とを組み合せて構成したことを特徴とする請求項１記載のガスタービン燃焼器の燃料供給装置。
【請求項３】
制御弁は、ドレンポットの燃料ドレンが予め設定されたレベルを超えたとき開弁させるトランスミッタを備えたことを特徴とする請求項２記載のガスタービン燃焼器の燃料供給装置。
【請求項４】
燃料ドレンを処理する手段は、ガスタービン燃焼器の運転中に使用していない燃料供給系統およびこの燃料供給系統に設けたマニホールドに装着する超音波検出装置と、上記燃料供給系統および上記マニホールドに滞留する燃料ドレンを系外に流出させる制御弁とを組み合せて構成したことを特徴とする請求項１記載のガスタービン燃焼器の燃料供給装置。
【請求項５】
超音波検出装置は、超音波センサと、燃料ドレンの有無を判定する判定器とを組み合せて構成したことを特徴とする請求項４記載のガスタービン燃焼器の燃料供給装置。
【請求項６】
異種類燃料は、液体燃料、高カロリーガス燃料、石炭ガス化ガス燃料の少なくとも２種類以上の燃料であることを特徴とする請求項１記載のガスタービン燃焼器の燃料供給装置。
【発明の詳細な説明】
【０００１】
【発明の属する技術分野】
本発明は、ガスタービン燃焼器に燃料の安定供給を可能とするガスタービン燃焼器の燃料供給装置に関する。
【０００２】
【従来の技術】
近年のガスタービンプラントでは、プラント熱効率のより一層の向上を図るため、ガスタービン燃焼器での燃焼ガス温度の高温化が進められており、この燃焼ガスの高温化を図りながら、さらに低ＮＯｘ化への要求がより一層高まりつつある。
【０００３】
また、低ＮＯｘ化とともに燃料の多様化も図られており、天然ガスのような高カロリーガス燃料単独で運転するプラント、また、燃料供給状況で高カロリーガス燃料または液体燃料のうち、どちらか一方または併用するプラント、さらに低カロリーまたは中カロリーガス燃料である石炭ガス化ガスと液体燃料を併用するプラントなどが実用化、または模索されている。
【０００４】
ところで、高カロリーガス燃料を用いたガスタービンプラントでは、ガスタービン入口温度の高温化と低ＮＯｘ化が進められているが、低ＮＯｘを達成するにはＮＯｘ発生量の原因の一つである燃焼ガスの局所的な高温部分を抑制する、いわゆるサーマルＮＯｘの発生を低減させる必要がある。このサーマルＮＯｘの発生を抑制する技術として、燃料と空気とを予め燃焼希薄状態に混合して燃焼させる希薄予混合燃焼方式が知られている。
【０００５】
希薄予混合燃焼方式の一つの方法としてガスタービン燃焼器の頭部側に保炎（火種）として拡散燃焼ゾーンを形成し、その後流（下流）側に希薄予混合燃焼ゾーンを形成することにより安定燃焼を実現しながら、サーマルＮＯｘの発生量を抑制する方法がある。この方法では拡散燃料系統、予混合燃料系統など燃料系統が二つ以上あり、その構成として例えば図４に示すものがある。
【０００６】
燃料系統は、燃料止め弁１、燃料流量調整弁２を介装させた一つの母管３からバイパスするパイロット燃料供給系統４、拡散燃料供給系統５および予混合燃料供給系統６等を備えた構成になっている。
【０００７】
パイロット燃料供給系統４は、保炎用の拡散燃焼として使用するもので、燃料流量調整弁７ａ、マニホールド８ａを介して燃焼器ライナ１０で形成した燃焼室１０ａの頭部側に設けたノズル１１ａに接続される。
【０００８】
また、拡散燃料供給系統５は、起動運転当初から拡散燃焼用として使用するもので、上述と同様に、燃料流量調整弁７ｂ、マニホールド８ｂを介してノズル１１ｂに接続される。
【０００９】
また、予混合燃料供給系統６は、ガスタービン燃焼器９の中間負荷運転からＮＯｘ濃度低減用として使用するもので、燃料流量調整弁７ｃ、マニホールド８ｃを介してノズル１１ｃに接続される。なお、予混合燃料系統６は、ノズル１１ｃの出口側に臨む予混合ダクト１２を設け、ここで燃焼室１０ａの外側から供給された空気を加えて燃料を希薄化させている。
【００１０】
このような構成を備えた燃料系統において、ガスタービン燃焼器９は、燃料を燃料止め弁１、燃料流量調整弁２を介してパイロット燃料供給系統４、拡散燃料供給系統５および予混合燃料供給系統６のそれぞれに供給し、ここでパイロット燃焼用燃料Ａ、拡散燃焼用燃料Ｂおよび予混合燃焼用燃料Ｃとに区分し、区分された各燃料Ａ，Ｂ，Ｃのそれぞれを燃料流量調整弁７ａ，７ｂ，７ｃ、マニホールド８ａ，８ｂ，８ｃ、ノズル１１ａ，１１ｂ，１１ｃを介して燃焼室１０ａに供給し、燃焼ガスを生成する。
【００１１】
図５は、各燃料供給系統４，５，６のそれぞれからのパイロット燃焼用燃料Ａ、拡散燃焼用燃料Ｂ、予混合燃焼用燃料Ｃのそれぞれを燃焼室１０ａに供給し、燃焼室１０ａに供給する総燃料流量をＧとする燃料投入パターン線図である。
【００１２】
ガスタービン燃焼器９が拡散燃焼運転と予混合燃焼運転とを行う場合、着火から約１／２負荷まで、パイロット燃料供給系統４のパイロット燃焼用燃料Ａと拡散燃料供給系統５の拡散燃焼用燃料Ｂとが燃焼室１０ａに供給されて拡散燃焼運転が行われ、約１／２負荷付近からパイロット燃焼用燃料Ａの燃焼室１０ａへの供給がカットされ、代って予混合燃料供給系統６の予混合燃焼用燃料Ｃが燃焼室１０ａに供給され、予混合燃焼運転が行われる。なお、パイロット燃焼用燃料Ａの燃焼室１０ａへの供給がカットされた後、拡散燃焼用燃料Ｂが保炎として機能する。
【００１３】
このように、拡散燃焼運転と予混合燃焼運転とを区分けしたのは、低負荷時、燃焼ガス温度が低く、予混合燃焼用燃料Ｃを低負荷時から燃焼室１０ａに投入すると、ＣＯ等の未燃分が多量に発生することに基づく。そのため、着火から約１／２負荷付近まで、予混合燃料供給系統６は予混合燃焼用燃料Ｃの燃焼室１０ａへの投入をカットしている。
【００１４】
また、拡散燃焼運転と予混合燃焼運転とを行うガスタービン燃焼器９は、低ＮＯｘ化を進める目的から定格負荷時、予混合燃焼用燃料Ｃの燃焼室１０ａへの投入量を増し、拡散燃焼用燃料Ｂの燃焼室１０ａへの投入量をできるだけ少なくしている。この場合、拡散燃焼用燃料Ｂが噴出するノズル１１ｂの前後の差圧は燃焼振動などを防ぎ、安定燃焼の必要性から一定以上の差圧が必要となる。そのため、拡散燃焼用燃料Ｂの燃焼室１０ａへの投入量を少なくさせた状態で、ノズル１１ｂの差圧を一定以上にするためには、ノズル１１ｂの噴出開口面積を一定以下としなければならない。この状態で燃焼運転を行うと、予混合燃焼用燃料Ｃを燃焼室１０ａに投入する直前の拡散燃焼用燃料Ｂの流量が最大となるところでは、ノズル１１ｂの圧力差が極端に大きくなり、ガスコンプレッサの動力が増加し、系統機器の使用圧が上昇するなどプラント熱効率、コストアップ、機器の安全性等で問題点が出る。そのため、図５で示したように、拡散燃焼を行う燃料を、パイロット燃焼用燃料Ａと拡散燃焼用燃料Ｂとに使い分けし、着火から約１／２負荷付近までパイロット燃焼用燃料Ａと拡散燃焼用燃料Ｂとを同時に使用し、約１／２負荷付近に至ると、パイロット燃焼用燃料Ａの燃焼室１０ａへの供給を停止させ、代って拡散燃焼用燃料Ｂの燃焼室１０ａへの供給を継続させつつ、予混合燃焼用燃料Ｃの燃焼室１０ａへの供給を開始させることで燃料圧の極端な上昇と、定格負荷運転時でのノズル１１ｂの差圧の適正化を図っていた。なお、負荷Ｊのときには、パイロット燃焼用燃料Ａの燃焼室１０ａへの供給はゼロになる。
【００１５】
また、液体燃料と高カロリーガス燃料とを併用するガスタービンプラントにおいても、起動運転当初、液体燃料を単独で使用する場合、石炭ガス化ガス燃料供給系統に石炭ガス化ガス燃料を流さないようになっている。
【００１６】
さらにまた、液体燃料と石炭ガス化ガス燃料とを併用するガスタービンプラントにおいても、起動運転当初、液体燃料を単独で使用する場合、石炭ガス化ガス燃料供給系統に石炭ガス化ガス燃料を流さないようになっている。
【００１７】
このように、複数種類の燃料または単一種類の燃料を目的別に使用するガスタービンプラントでは、起動運転時または中間負荷運転時、複数の燃料供給系統のうち、少なくとも一つ以上の燃料供給系統の使用を中止させ、法律規制値内に収まる低ＮＯｘ化に対処させていた。
【００１８】
【発明が解決しようとする課題】
図４で示したガスタービン燃焼器９は、燃料が単一種類であろうと、複数種類であろうと、目的に応じて複数の燃料供給系統を巧みに使い分けているので、低ＮＯｘ化に充分に対処することができるものの、それでも幾つかの問題点があり、その一つに燃料のドレン化がある。
【００１９】
ガスタービン燃焼器９に複数の燃料供給系統を備え、起動運転時または中間負荷運転時、複数の燃料供給系統のうち、少なくとも一つ以上の燃料供給系統を使用していない場合、使用していない燃料供給系統に、燃焼室１０ａからの燃焼ガスや空気が背圧で逆流することがある。この場合、使用していない燃料供給系統に燃焼ガス等が逆流すると、温度差により燃焼ガス等が配管内に結露し、燃料がドレン化することがある。ドレン化した燃料に、新たな燃料を供給すると、ガスタービン燃焼器９は、起動運転時の着火の際、燃料を点火させてもドレン化した燃料が原因で失火する可能性がある。
【００２０】
また、燃料供給系統にドレン化した燃料を滞留させておくと、長年の使用の結果、燃料供給系統に過度な応力が発生して事故の要因となり、安定した燃料の供給ができなくなるおそれがある。
【００２１】
本発明は、このような事情に基づいてなされたもので、運転中、複数の燃料供給系統のうち、一つでも使用していない燃料供給系統があっても、その燃料供給系統に新たな燃料を供給する際、燃料を安定供給できるように図ったガスタービン燃焼器の燃料供給装置を提供することを目的とする。
【００２２】
【課題を解決するための手段】
本発明に係るガスタービン燃焼器の燃料供給装置は、上記目的を達成するため、請求項１に記載したように、ガスタービン燃焼器に複数の燃焼供給系統を設け、単一種数燃料および異種類燃料のうち少なくとも一方を運転状況に合せて上記複数の燃料供給系統に供給するガスタービン燃焼器の燃料供給装置において、上記単一種類燃料および異種類燃料の少なくとも一方を使用する上記複数の燃料供給系統のうち、上記ガスタービン燃焼器の運転中に使用していない燃料供給系統に、燃料ドレンを処理する手段を設けたものである。
【００２３】
また、本発明に係るガスタービン燃焼器の燃料供給装置は、上記目的を達成するため、請求項２に記載したように、燃料ドレンの処理手段は、ガスタービン燃焼器の運転中に使用していない燃料供給系統およびこの燃料供給系統に設けたマニホールドに接続させたドレンポットと、このドレンポットに滞留する燃料ドレンを系外に流出させる制御弁とを組み合せて構成したものである。
【００２４】
また、本発明に係るガスタービン燃焼器の燃料供給装置は、上記目的を達成するため、請求項３に記載したように、制御弁は、ドレンポットの燃料ドレンが予め設定されたレベルを超えたとき開弁させるトランスミッタを備えたものである。
【００２５】
また、本発明に係るガスタービン燃焼器の燃料供給装置は、上記目的を達成するため、請求項４に記載したように、燃料ドレンを処理する手段は、ガスタービン燃焼器の運転中に使用していない燃料供給系統およびこの燃料供給系統に設けたマニホールドに装着する超音波検出装置と、上記燃料供給系統および上記マニホールドに滞留する燃料ドレンを系外に流出させる制御弁とを組み合せて構成したものである。
【００２６】
また、本発明に係るガスタービン燃焼器の燃料供給装置は、上記目的を達成するため、請求項５に記載したように、超音波検出装置は、超音波センサと、燃料ドレンの有無を判定する判定器とを組み合せて構成したものである。
【００２７】
また、本発明に係るガスタービン燃焼器の燃料供給装置は、上記目的を達成するため、請求項６に記載したように、異種類燃料は、液体燃料、高カロリーガス燃料、石炭ガス化ガス燃料の少なくとも２種類以上の燃料であることを特徴とするものである。
【００２８】
【発明の実施の形態】
以下、本発明に係るガスタービン燃焼器の燃料供給装置の実施形態を図面および図中に付した符号を引用して説明する。
【００２９】
図１は、例えばコンバインドサイクル発電プラントに適用する本発明に係るガスタービン燃焼器の燃料供給装置の第１実施形態を示す概略系統図である。
【００３０】
本実施形態に係るガスタービン燃焼器の燃料供給装置を組み込んだコンバインドサイクル発電プラントは、ガスタービンプラント１３、蒸気タービンプラント１４、排熱回収ボイラ１５を備えるとともに、ガスタービンプラント１３と蒸気タービンプラント１４とを一つのタービン軸１６で接続させる構成になっている。
【００３１】
ガスタービンプラント１３は、空気圧縮機１７、ガスタービン燃焼器１８、ガスタービン１９を備え、空気圧縮機１７で吸い込んだ空気ＡＲを圧縮して高圧化させ、その高圧空気をガス燃料ＧＦＵＬとともにガスタービン燃焼器１８に供給し、ここで燃焼ガスを生成し、生成した燃焼ガスをガスタービン駆動ガスとしてガスタービン１９に案内して膨張仕事をさせる。
【００３２】
また、排熱回収ボイラ１５は、ガスタービン１９で膨張仕事を終えた排ガスを熱源として蒸気を発生させた後、煙突２０を介して大気に放出させる。
【００３３】
また、蒸気タービンプラント１４は、蒸気タービン２１、発電機２２、復水器２３を備え、排熱回収ボイラ１５から蒸気タービン２１に供給された蒸気に膨張仕事をさせ、その際に発生する回転トルクで発電機２２を駆動させるとともに、膨張仕事を終えた蒸気を復水器２３に供給して凝縮させ、その凝縮水（復水）を給水として排熱回収ボイラ１５に還流させる。
【００３４】
一方、ガスタービン燃焼器１８には、燃料供給系統２４が設けられている。
【００３５】
この燃料供給系統２４は、ガス燃料ＧＦＵＬを昇圧させる燃料コンプレッサ２５と、昇圧したガス燃料ＧＦＵＬをガスタービン燃焼器１８のメインノズル２６に供給するメイン燃料供給系統２７と、メイン燃料供給系統２７からバイパスさせ、ガスタービン燃焼器１８の第１サブノズル２８ａに高圧ガス燃料ＧＦＵＬを供給する第１サブ燃料供給系統２９ａと、第１サブ燃料供給系統２９ａからバイパスさせ、ガスタービン燃焼器１８の第２サブノズル２８ｂに高圧のガス燃料ＧＦＵＬを供給する第２サブ燃料供給系統２９ｂとを備えている。
【００３６】
また、燃料供給系統２４は、第１サブ燃料供給系統２９ａからバイパスさせた燃料ドレン処理系統３０を備えている。
【００３７】
この燃料ドレン処理系統３０は、図２に示すように、ガスタービン燃焼器１８の第１サブノズル２８ａに接続する第１サブ燃料供給系統２９ａの燃料流量調整弁３１ａ側と第１マニホールド３２ａとに溜るガス燃料ドレンを一旦集めるドレンポット３３を備え、ドレンポット３３に集められたガス燃料ドレンをレベルトランスミッタ３４の信号でドレン排出弁３５、ドレン遮断弁３６を開閉制御して系外に流出させるようになっている。この場合、レベルトランスミッタ３４は、ドレンポット３３のガス燃料ドレンが予め設定されたドレン値を超えると、ドレン排出弁３５、ドレン遮断弁３６を開弁させ、ガス燃料ドレンが設定値よりも低くなるとドレン排出弁３５、ドレン遮断弁３６を閉弁させる。
【００３８】
また、ドレンポット３３には、第１マニホールド３２ａと圧力バランスさせ、ガス燃料ドレンの流れを良好にさせるバランス管３７が設けられている。なお、図２は、起動運転時または中間負荷運転時、第２サブ燃料供給系統２９ｂから燃料流量調整弁３１ｂ、第２マニホールド３２ｂを介してガスタービン燃焼器１８の第２サブノズル２８ｂにガス燃料ＧＦＵＬが供給されているが、これは例示であり、起動運転時または中間負荷運転時、第２サブ燃料供給系統２９ｂにガス燃料ＧＦＵＬが供給されていない場合、第２サブ燃料供給系統２９ｂに上述燃料ドレン処理系統３０を設けてもよい。
【００３９】
また、図２はメイン燃料供給系統２７を省略するとともに、燃料として単一種類のガス燃料ＧＦＵＬを使用しているが、例えば起動運転時、燃料として液体燃料を第２サブ燃料供給系統２９ｂに供給して使用し、中間負荷運転時、燃料として高カロリーガス燃料を第１サブ燃料供給系統２９ｂに供給して使用してもよく、液体燃料を起動運転時と中間負荷運転時とに使い分けてもよい。
【００４０】
ところで、ガスタービン燃焼器１８は、空気圧縮機１７とガスタービン１９との間に設置され、その缶数を６〜３２個とし、各缶数を図２で示したように、連絡管３８で接続させ、６〜３２個の缶数のうち１缶または２缶に点火器（図示せず）を設け、点火器で発生した燃焼ガスを点火器のない隣りの缶に連絡管３８を介して順次伝播させるようになっている。このため、ガスタービン燃焼器１８は、各構成部品に製作誤差や組立誤差があると、燃焼ガスの流れが悪くなって各缶毎に圧力差が出、圧力差が原因で使用していないノズルからマニホールドに燃焼ガスが逆流し、上述のように燃料がドレン化することがある。
【００４１】
本実施形態に係るガスタービン燃焼器の燃料供給装置は、燃料ドレン化に着目したもので、上述の第１サブ燃料供給系統２９ａに燃料ドレン処理系統３０を設け、燃料ドレン処理系統３０で第１サブ燃料供給系統２９ａに溜る燃料ドレンを処理させたものである。
【００４２】
したがって、本実施形態によれば、第１サブ燃料供給系統２９ａに燃料ドレン処理系統３０を設け、燃料ドレンを確実に処理させたので、ガス燃料ＧＦＵＬの点火の際、燃焼ガスの失火を防止することができ、ガス燃料ＧＦＵＬを安定状態にしてガスタービン燃焼器１８に供給することができる。
【００４３】
図３は、本発明に係るガスタービン燃焼器の燃料供給装置の第２実施形態を示す概略系統図である。なお、第１実施形態の構成部分と同一または対応する部分には同一符号を付す。
【００４４】
本実施形態に係るガスタービン燃焼器の燃料供給装置は、例えば起動運転時、燃料として液体燃料ＬＦＵＬを第２サブ燃料供給系統２９ｂに供給して使用し、中間負荷運転時、燃料として石炭ガス化ガス燃料ＣＦＵＬを第１サブ燃料供給系統２９ａに供給して使用するものである。
【００４５】
一般に、石炭ガス化ガス燃料ＣＦＵＬは、高カロリーガス燃料のカロリーに較べて１／５〜１／１０であり、これに伴ってガスタービン燃焼器１８への投入量も高カロリーガス燃料に較べて５〜１０倍になっている。このため、ノズルの開口面積も高カロリーガス燃料を使用するときに較べて大きくなっている。
【００４６】
例えば、起動運転時、液体燃料ＬＦＵＬを第２サブ燃料供給系統２９ｂに供給して使用し、石炭ガス化ガス燃料ＣＦＵＬの第１サブ燃料供給系統２９ａへの供給を中止していると、ガスタービン燃焼器１８は、第２マニホールド３２ｂから第２サブノズル２８ｂを介して供給される液体燃料ＬＦＵＬで燃焼ガスを生成する際、第１サブノズル２８ａの開口面積が大きくなっているので、その燃焼ガスの第１サブ燃料供給系統２９ａ、第１マニホールド３２ａへの逆流がより一層多くなり、これに伴って発生する燃料ドレンも多くなり、第２サブノズル２８ｂから第１サブノズル２８ａに切り換える場合、燃焼ガスの失火の可能性が大きい。
【００４７】
本実施形態は、このような点に着目したもので、第１サブ燃料供給系統２９ａと第１マニホールド３２ａに超音波センサ３９を設け、第１サブ燃料供給系統２９ａと第１マニホールド３２ａに滞留する燃料ドレンの有無を判定器４０で判定させ、燃料ドレンが第１サブ燃料供給系統２９ａと第１マニホールド３２ａに滞留する場合、ドレン排出弁３５、ドレン遮断弁３６を開弁させる構成にしたものである。
【００４８】
したがって、本実施形態によれば、第１サブ燃料供給系統２９ａと第１マニホールド３２ａに滞留する燃料ドレンの有無を超音波センサで検出させ、燃料ドレンが滞留している場合、ドレン排出弁３５、ドレン遮断弁３６から系外に流出させたので、石炭ガス化カス燃料ＣＦＵＬの点火の際、燃焼ガスの失火を防止することができ、石炭ガス化ガス燃料ＣＦＵＬを安定状態にしてガスタービン燃焼器１８に供給することができる。
【００４９】
【発明の効果】
以上の説明のとおり、本発明に係るガスタービン燃焼器の燃料供給装置は、ガスタービン燃焼器に複数の燃料供給系統を設け、複数の燃料供給系統に単一種類または異種類燃料を起動運転または中間負荷運転の運転状況に合せて使い分けて供給する一方、ガスタービン燃焼器の運転中、使用していない燃料供給系統に滞留する燃料ドレンを系外に流出させる手段を設けたので、燃焼ガスの失火を確実に防止することができ、単一種類燃料または異種類燃料を安定状態にしてガスタービン燃焼器に供給することができる。
【図面の簡単な説明】
【図１】本発明に係るガスタービン燃焼器の燃料供給装置をコンバインドサイクル発電プラントに適用した概略系統図。
【図２】本発明に係るガスタービン燃焼器の燃料供給装置の第１実施形態を示す概略系統図。
【図３】本発明に係るガスタービン燃焼器の燃料供給装置の第２実施形態を示す概略系統図。
【図４】従来のガスタービン燃焼器の燃料供給装置を示す概略系統図。
【図５】ガスタービン燃焼器の運転状況に合せて燃焼室に燃料を供給する従来の燃料投入パターン線図。
【符号の説明】
１  燃料止め弁
２  燃料流量調整弁
３  母管
４  パイロット燃料供給系統
５  拡散燃料供給系統
６  予混合燃料供給系統
７ａ，７ｂ，７ｃ  燃料流量調整弁
８ａ，８ｂ，８ｃ  マニホールド
９  ガスタービン燃焼器
１０  燃焼器ライナ
１０ａ  燃焼室
１１ａ，１１ｂ，１１ｃ  ノズル
１２  予混合ダクト
１３  ガスタービンプラント
１４  蒸気タービンプラント
１５  排熱回収ボイラ
１６  タービン軸
１７  空気圧縮機
１８  ガスタービン燃焼器
１９  ガスタービン
２０  煙突
２１  蒸気タービン
２２  発電機
２３  復水器
２４  燃料供給系統
２５  燃料コンプレッサ
２６  メインノズル
２７  メイン燃料供給系統
２８ａ  第１サブノズル
２８ｂ  第２サブノズル
２９ａ  第１サブ燃料供給系統
２９ｂ  第２サブ燃料供給系統
３０  燃料ドレン処理系統
３１ａ，３１ｂ  燃料流量調整弁
３２ａ  第１マニホールド
３２ｂ  第２マニホールド
３３  ドレンポット
３４  レベルトランスミッタ
３５  ドレン排出弁
３６  ドレン遮断弁
３７  バランス管
３８  連絡管
３９  超音波センサ
４０  判定器
【図１】
0003772029.tif 000002
【図２】
0003772029.tif 000003
【図３】
0003772029.tif 000004
【図４】
0003772029.tif 000005
【図５】
0003772029.tif 000006